(57)【要約】      （修正有）【課題】床に載置し、上に乗って体のバランス感覚を養うことができると共に、海上に浮遊していわゆるサーフボードとしてのスポーツ用具としても使用可能な揺動ボードを提供する。【解決手段】上面を平坦面に形成した補助揺動板を揺動ボードＢのボード本体における仮想重心部に貼着可能とし、補助揺動板の底面中心部を上面平坦面よりも小面積の平坦面に形成して底面の中心平坦面から底面周辺に向かって周側面部分を傾斜面に形成することにより、揺動ボードのボード本体底面にこの補助揺動板を貼着するだけで使用者が床上に揺動ボードを載置し、その上に乗ればそのままバランス感覚を保つための訓練具となり、この補助揺動板を取り外せば揺動ボードを海上に浮遊するだけでサーフボード等のスポーツ用具として使用することができる。【選択図】図３
2020192826.tif 000002
【特許請求の範囲】
【請求項１】
揺動ボードのボード本体における仮想重心部に貼着可能なように上面を平坦面に形成すると共に、底面中心部を上面平坦面よりも小面積の平坦面に形成し、底面の中心平坦面から底面周辺に向かって傾斜面を形成したことを特徴とする補助揺動板。
【請求項２】
揺動ボードのボード本体における仮想重心部底面に所定広さの平坦部を形成すると共に、平坦部周縁からボード本体の周縁に向かって傾斜底面を形成することによりボード本体における仮想重心部底面に請求項１に記載の補助揺動板と同一の揺動機能を保有させたことを特徴とする請求項１に記載の揺動ボード。
【請求項３】
揺動ボードのボード本体における底面に請求項１に記載の補助揺動板を突設したことを特徴とする請求項２に記載の揺動ボード。
【請求項４】
揺動ボードのボード本体は海上の波面を滑動することができるサーフィンボードやウインドサーフィンの機能を具備したことを特徴とする請求項１〜３のいずれか１項に記載の揺動ボード。
【請求項５】
揺動ボードのボード本体上面には仮想重心部を十文字交差部とした十文字歩行ガイド帯を表示したことを特徴とする請求項１〜４のいずれか１項に記載の揺動ボード。
【発明の詳細な説明】
【技術分野】
【０００１】
この発明は、床に載置し上に乗って体のバランス感覚を養うことができると共に、海上に浮遊していわゆるサーフボードとしてのスポーツ用具としても使用可能な揺動ボードに関する。
【０００２】
従来、サーフボードは海上の波間に浮遊させ、その上に乗って波のうねりに応じて波上を滑動するためのスポーツ用具として多用されている。
【０００３】
かかる従来のサーフボードはバランス感覚を養うために有効な用具ではあるが、海上の波間に浮遊させて使用する必要があり陸上でのバランス感覚養成のための用具として使用することはできないものであった。
【０００４】
他方、アスレチック用具として床上にボードを置いて外底面に形成した突起物を介してボードの揺動を促し、ボード上でバランス感覚を養うように構成したものはある（特許文献１）。
【先行技術文献】
【特許文献】
【０００５】
【特許文献１】実用新案登録第３２０７３１８号公報
【発明の概要】
【発明が解決しようとする課題】
【０００６】
しかし、何れにしても従来のボードはアスレチック用かサーフボード用として用途が当初よりきめられ、かつ、用途に応じた形状構造に仕上げられているものであり、畢竟用途が限定的となり広範囲のスポーツ用兼練習鍛錬具として使用できるものではなかった。
【０００７】
この発明では、揺動ボードのボード本体における仮想重心部に貼着可能なように上面を平坦面に形成すると共に、底面中心部を上面平坦面よりも小面積の平坦面に形成し、底面の中心平坦面から底面周辺に向かって傾斜面を形成したことを特徴とする補助揺動板を提供する。
【課題を解決するための手段】
【０００８】
この発明では、揺動ボードのボード本体における仮想重心部に貼着可能なように上面を平坦面に形成すると共に、底面中心部を上面平坦面よりも小面積の平坦面に形成し、底面の中心平坦面から底面周辺に向かって傾斜底面を形成したことを特徴とする。
【０００９】
また、揺動ボードのボード本体における仮想重心部底面に所定広さの平坦部を形成すると共に、平坦部周縁からボード本体の周縁に向かって傾斜底面を形成することによりボード本体における仮想重心部底面に補助揺動板と同一の揺動機能を保有させたことを特徴とする。
【００１０】
また、揺動ボードのボード本体における底面に請求項１に記載の補助揺動板を突設したことを特徴とする。
【００１１】
また、揺動ボードのボード本体は海上の波面を滑動することができるサーフィンボードやウインドサーフィンの機能を具備したことを特徴とする。
【００１２】
揺動ボードのボード本体上面には仮想重心部を十文字交差部とした十文字歩行ガイド帯を表示したことを特徴とする。
【発明の効果】
【００１３】
請求項１の発明によれば、上面を平坦面に形成した補助揺動板を揺動ボードのボード本体における仮想重心部に貼着可能とし、しかも、補助揺動板の底面中心部を上面平坦面よりも小面積の平坦面に形成して底面の中心平坦面から底面周辺に向かって周側面部分を傾斜面に形成したことにより、揺動ボードのボード本体底面にこの補助揺動板を貼着するだけで使用者が床上に揺動ボードを載置し、その上に乗ればそのままバランス感覚を保つための訓練具となり、この補助揺動板を取り外せば揺動ボードを海上に浮遊するだけでサーフボード等のスポーツ用具として使用することができる効果がある。しかも、揺動ボードを使用して床上運動をするため、サーフボード等のスポーツ用具での使用感を持ちながらバランス感覚等のアスレチック鍛錬が可能となり臨場感を有しながらバランス感覚を養う訓練を実施できる効果がある。
特に、補助揺動板の形状が周側面部分を傾斜面に形成し、かつ、揺動ボードの仮想重心部に貼着しているのでボード上に乗ってバランス感覚の訓練をする時に海上に浮遊する揺動ボードの使用感で訓練が行える効果がある。
【００１４】
請求項２の発明によれば、揺動ボードのボード本体における仮想重心部底面に所定広さの平坦部を形成すると共に、平坦部周縁からボード本体の周縁に向かって傾斜底面を形成することにより、ボード本体における仮想重心部底面に補助揺動板と同一の揺動機能を保有させることができることになり海上でのサーフボードの使用感を会得しながらバランス感覚養成のためのアスレチック訓練が容易に行え、一つの用具により両方の機能を得ることができる効果がある。
【００１５】
請求項３の発明によれば、揺動ボードのボード本体における底面に補助揺動板を突設したことにより、床上でのバランス感覚の訓練にも使用でき、補助揺動板を外せばサーフボードとして海上での使用もできることになり揺動ボードの使用用途が拡大して経済的に有利な構造とすることができる効果がある。
【００１６】
請求項４の発明によれば、揺動ボードのボード本体は海上の波面を滑動することができるサーフィンボードやウインドサーフィンの機能を具備したことにより、補助揺動板を貼着することでバランス感覚訓練用具として使用可能であり、外して使用すれば本来の海上でのサーフィンボードやウインドサーフィンとして使用可能となる効果がある。
【００１７】
請求項５の発明によれば、揺動ボードのボード本体上面には仮想重心部を十文字交差部とした十文字歩行ガイド帯を表示したしたことにより、ボード上に乗って所定のバランス個所に移動する際に十文字歩行ガイド帯に沿って移動すれば正確な仮想重心部に歩行移動することができ移動中に不用意にボードが傾動して転倒する事故を未然に防止することができる効果がある。
【図面の簡単な説明】
【００１８】
【図１】本発明の実施形態における補助揺動板を示す平面図である。
【図２】本発明の実施形態における補助揺動板を示す側面図である。
【図３】本発明の実施形態における揺動ボードを示すおもて面斜視図である。
【図４】本発明の実施形態における揺動ボードを示す裏面斜視図である。
【図５】本発明の実施形態における揺動ボードを示す平面図である。
【図６】本発明の実施形態における図５の断面図であり、（ａ）は図５のＡ−Ａ断面図、（ｂ）は（ａ）のＢ−Ｂ拡大断面図である。
【図７】本発明の実施形態における揺動ボードに補助揺動板を貼着した状態を示す側面図である。
【図８】本発明の揺動ボードを使用したトレーニングの開始時を示す図である。
【図９】本発明の揺動ボードを使用したトレーニングのトレーニングポジションを示す図である。
【図１０】本発明の揺動ボードを使用したトレーニングの平衡状態を示す図である。
【図１１】本発明の揺動ボードを使用したトレーニングの揺動状態を示す図であり、（ａ）は右足に力を加えた状態を示す図であり、（ｂ）は左足に力を加えた状態を示す図である。
【図１２】本発明の揺動ボード上でのトレーニングの一形態を示す斜視図である。
【発明を実施するための形態】
【００１９】
この発明の要旨は、揺動ボードのボード本体における仮想重心部に貼着可能なように上面を平坦面に形成すると共に、底面中心部を上面平坦面よりも小面積の平坦面に形成し、底面の中心平坦面から底面周辺に向かって傾斜面を形成したことを特徴とする補助揺動板であり、また、揺動ボードのボード本体における仮想重心部底面に所定広さの平坦部を形成すると共に、平坦部周縁からボード本体の周縁に向かって傾斜底面を形成することによりボード本体における仮想重心部底面に補助揺動板と同一の揺動機能を保有させたことを特徴とし、また、揺動ボードのボード本体における底面に補助揺動板を突設したことを特徴とし、また、揺動ボードのボード本体は海上の波面を滑動することができるサーフィンボードやウインドサーフィンの機能を具備したことを特徴とし、また、揺動ボードのボード本体上面には仮想重心部を十文字交差部とした十文字歩行ガイド帯を表示したことを特徴とする揺動ボードに関する。
【００２０】
この発明の実施例を図面に基づき詳細に説明する。
図１は、補助揺動板を示す平面図である。図２は、補助揺動板を示す側面図である。図３は、揺動ボードを示すおもて面斜視図である。図４は、揺動ボードを示す裏面斜視図である。図５は、揺動ボードを示す平面図である。図６は、図５のＡ−Ａ断面図である。図７は、揺動ボードに補助揺動板を貼着した状態を示す側面図である。
【００２１】
本発明の揺動ボードＢは、ボード本体１０よりなる。
【００２２】
本発明は、このままの形態で揺動ボードＢを海上に浮遊することでスポーツや娯楽としてのサーフボード等として使用可能である。
【００２３】
この揺動ボードＢには、別途形成した補助揺動板２０を外底面に貼着可能に構成されている。
【００２４】
すなわち、補助揺動板２０はボード本体１０における仮想重心部１１に貼着可能なように上面を平坦面に形成して揺動ボードＢの外底面に貼着可能に構成しており、しかも、底面中心部２２を上面平坦面２１よりも小面積の平坦面２３に形成すると共に、底面２４の中心平坦面２５から底面周辺２６に向かって傾斜面２７を形成している。
【００２５】
具体的には、補助揺動板２０は、図１、２に示すように、上面を凹凸のない上面平坦面２１としている。補助揺動板２０は、下面を８角錐の頂部に向かう途中で水平状に切断して小面積の平坦面２３を形成している。
【００２６】
小面積の平坦面２３は、略８角形状の各辺から上面の上面平坦面２１の各辺に連結するように底面周辺２６（上面平坦面２１の周縁）に向かって滑らかに凸条の円弧形状の傾斜面２７を形成している。
なお、小面積の平坦面２３は、上面平坦面２１の面積よりも小さく構成されていればよく、その小面積の平坦面２３の面積に応じて後述するボード本体１０に搭乗してトレーニングする際のボード本体１０の揺動の程度を変更できる。この際、小面積の平坦面２３の面積が小さくなるほど補助揺動板２０は地面との設置面積が小さくなる。すなわち、小面積の平坦面２３が小さくなることで補助揺動板２０は揺動しやすい状態を生起し、補助揺動板２０を使用したトレーニングを実施する際にバランスを取ることが難しくなる。
反対に、小面積の平坦面２３の面積が大きくなるほど補助揺動板２０は地面との設置面積が大きくなる。すなわち、小面積の平坦面２３が大きくなることで補助揺動板２０は揺動しにくい状態を生起し、補助揺動板２０を使用したトレーニングを実施する際にバランスを取りやすくなる。
このように小面積の平坦面２３の面積を変更することで個人個人に合わせた揺動状態を生起できる。
なお、補助揺動板２０の形態は小面積の平坦面２３が上面平坦面２１の面積よりも小さく構成されていればよく、平面視略円形の円錐台や平面視略三角形の三角錐台で形成されていてもよい。
【００２７】
また、別途用意した揺動ボードBのボード本体１０における仮想重心部１１の底面１６（仮想重心部底面）には、図７に示すように、所定広さの平坦部１２を形成すると共に、平坦部周縁１３からボード本体の周縁１４に向かって傾斜底面１５を形成している。
【００２８】
具体的には、揺動ボードＢは、平面視略長方形状のボード本体１０で構成されている。
【００２９】
ボード本体１０は、図３に示すように、上面を平面に形成すると共に、平面視略中央部に仮想重心部１１を形成している。
【００３０】
ボード本体１０の底面側の略中央部、すなわち、仮想重心部１１の底面１６には、略８角形状の平坦部１２を設けている。
【００３１】
平坦部１２は、８角形状の各辺、すなわち、平坦部周縁１３からボード本体の周縁１４に向かって凸状の円弧形状に傾斜底面１５を設けている（図７参照）。
【００３２】
かかる揺動ボードＢのボード本体１０における仮想重心部１１の底面１６を上記のように構成することで前述した補助揺動板２０と同一の揺動機能を保有させている。
【００３３】
また、ボード本体の周縁１４には、トレーニング用に弾性体で構成したチューブ３０を固定するための固定孔３１、３１、、、を複数穿設している。固定孔３１、３１、、、はボード本体１０の前後端部１０ａ、１０ｂ近傍及び前後端部１０ａ、１０ｂよりもボード本体１０の中央寄りに穿設している。
【００３４】
固定孔３１、３１、、、は、平面視略円形に穿設しており、固定孔３１の内部に固定棒３２を固定孔３１の半径方向に向けて配設している。固定棒３２は、図５、図６（ａ）、（ｂ）に示すように、中実で円柱状の金属で形成された金属棒であり、両端部をボード本体に挿貫している。そのため、固定棒３２に固定されたチューブ３０は、使用者が揺動ボードＢを利用して激しい運動を実施したとしてもチューブ３０の位置がずれることなく運動に支障をきたす虞がない。
【００３５】
また、ボード本体１０は、主材料を空気を多分に含んだ発泡体（例えば、ウレタンフォームやスタイロフォームなど）で構成しており、その周りをグラスファイバー（ＦＲＰ）で囲繞し、さらに、その表面を撥水性の塗料でコーティングして形成されている。そのため、ボード本体１０は、地上面だけでなく水面に浮遊して地上面同様に適切なトレーニング効果を生起できる。なお、ボード本体の材質は、水上に浮遊できるような材質であればどのような材質で構成されていてもよい。
【００３６】
また、ボード本体１０の後端部１０ｂ側の傾斜底面１５の幅方向略中央には、図４に示すように、フィン設置部１９を穿設している。フィン設置部１９は、前後方向に細長い矩形状の孔を穿設しており、サーフィンボードなどで使用されるフィンを設置できるように構成している。このようにフィン設置部１９を設けることで、揺動ボードＢを水面上で使用した際、特に揺動ボードＢに使用者が搭乗して左右に揺動した際に該フィンが抵抗となり揺動ボードＢが水面上で回転する虞を低減し、適切なトレーニング効果を生起できる。
【００３７】
また、揺動ボードＢのボード本体１０の底面には別途用意した補助揺動板２０を突設することができるように構成している。
【００３８】
すなわち、揺動ボードＢは、ボード本体１０の底面１６を略平坦面とする平坦部１２を形成することで、図７に示すように、上面を略平坦面に形成した補助揺動板２０を貼着できる。なお、ボード本体１０へ補助揺動板２０を貼着する手段は、この揺動ボードＢを利用してトレーニングする際にボード本体１０から補助揺動板２０が外れることがなければどのような貼着手段でもよく、例えば、粘着テープや、面ファスナーなどで貼着されている。
【００３９】
補助揺動板２０を貼着しない状態における揺動ボードＢのボード本体１０は海上の波面を滑動することができるサーフィンボードやウインドサーフィンの機能を具備し、そのままでサーフィンボードやウインドサーフィンとして使用することもできる。
【００４０】
また、揺動ボードＢのボード本体１０の上面には、図３、５に示すように、仮想重心部１１の略中央部を十文字交差部１７とした十文字歩行ガイド帯１８を表示している。そのため、ボード本体１０に搭乗して所定のバランス箇所に移動する際に十文字歩行ガイド帯１８にそって移動すれば仮想重心部１１に正確に歩行移動することができる。そのため、ボード本体１０の使用者が移動中に不用意にボード本体１０が傾動して転倒する事故を未然に防止することができる。
【００４１】
また、揺動ボードＢのボード本体１０の上面には、トレーニングを実施する使用者がバランスを保ちやすい箇所を示すバランス箇所、すなわち、仮想重心部１１を示す平面視略円形のライン１１ａを表示している。
なお、仮想重心部１１を示すライン１１ａの形態は円形状に限定されず、平面視略方形状や、花柄など揺動ボードＢの仮想重心部１１を示すことができればどのような形態でもよい。
【００４２】
このように構成した揺動ボードＢを使用してトレーニングを実施する手順について説明する。
【００４３】
図８に示すように、ボード本体１０の上面に表示した十文字歩行ガイド帯１８の長辺ガイド１８ａ、１８ａ、短辺ガイド１８ｂ、１８ｂのいずれかのガイド１８ａ、１８ａ、１８ｂ、１８ｂからボード本体１０の上面に足を乗せる。この際、十文字歩行ガイド帯１８の幅内に足裏すべてを載置するようにすることで歩行時のバランスを適切に保つことができる。
【００４４】
図９に示すように、使用者は、長辺ガイド１８ａの十文字歩行ガイド帯１８に沿って仮想重心部１１を示すライン１１ａ内に歩行して侵入する。
【００４５】
図９に示すように、ライン１１ａ内に侵入後、使用者は、足裏の足底弓蓋（土踏まず）を十文字歩行ガイド帯１８の短辺ガイド１８ｂ、１８ｂ、または、長辺ガイド１８ａ、１８ａに載置する。この際、十文字交差部１７を跨ぐように左右に足を開くことで該揺動ボードＢを使用したことがない人でも容易にバランスを取ることができる。
【００４６】
図１０に示すように、仮想重心部１１内で立位姿勢となった使用者は、ボード本体１０の上面で仮想重心部１１を示すライン１１ａまで足を開き、足裏をライン１１ａ上に載置する。
【００４７】
図１１（ａ）、（ｂ）に示すように使用者は、ライン１１ａ上で膝を屈曲して腰を落として重心を低く保つ。この状態で左右の足に力を交互に力を入れることでボード本体１０を前後方向、または、左右方向に揺動することができる。この際、ボード本体１０の平坦部１２、または、補助揺動板２０の小面積の平坦面２３に平坦な面を形成しているため、揺動ボードＢが前後左右に揺動した際の平坦部周縁１３、または、補助揺動板２０の底面周辺２６でボード本体１０の揺動状態が一時的に不連続となり使用者が違和感を覚える。そのため、ボード本体１０の使用者は、視線を下に移すことなくボード本体１０の変位形態を想像でき、どの程度の力でボード本体１０を押圧し、バランスを保てるか想像できる。その結果、使用者は連続して運動を実施できる。
【００４８】
使用者は、揺動ボードＢを利用してトレーニング終了後には、ボード本体１０に搭乗する際の手順とは逆に仮想重心部１１のライン１１ａ内から十文字歩行ガイド帯１８の短辺ガイド１８ｂ、１８ｂと長辺ガイド１８ａ、１８ａのいずれかのガイド１８ａ、１８ａ、１８ｂ、１８ｂを介してボード本体１０の外に降りることができる。
【００４９】
揺動ボードＢを使用したトレーニングの一例を示したが、本発明の揺動ボードＢは、上記の使用例に限定されない。例えば、図１２に示すように、使用者は、ライン１１ａ内の仮想重心部１１に立位姿勢となり、固定孔３１、３１、、、に固定したチューブ３０の一端部を把持して揺動ボードＢでバランストレーニングを実施しながら、チューブ３０を利用して上半身のトレーニングを下半身のバランストレーニングと同時に実施できる。
【００５０】
このように、揺動ボードＢは、ボード本体１０を単独の状態で使用した際にバランストレーニングを実施できるだけでなく、ボード本体１０の仮想重心部１１の底面１６に補助揺動板２０を貼着することでそのバランストレーニングの程度を使用者の熟練度に応じて変更できる。また、ボード本体１０を水面に浮遊できる材質で構成し、さらに、ボード本体１０の裏面にフィンを設置できる構成とすることで、揺動ボードＢは地上面と同様のトレーニング効果を水上でも生起できる。また、上記内容に加えてボード本体１０の上面に固定棒３２を設けてチューブ３０を利用できるように構成することで、揺動ボードＢは、ボード本体１０による下半身のバランストレーニングを実施するとともに、弾性体のチューブ３０を使用して上半身をトレーニングできる効果がある。
【００５１】
また、揺動ボードＢの形態は、本実施形態に記載した平面視略８角形状に限定されず、適切なトレーニング効果を実現できればどのような形態でもよく、平面視略楕円形状や平面視略円形状に形成されていてもよい。
【００５２】
なお、本発明は上述した実施形態に限られず、上述した実施形態の中で開示した各構成を相互に置換したり組合せを変更したりした構成、並びに公知発明及び上述した実施形態の中で開示した各構成を相互に置換したり組合せを変更したりした構成なども含まれる、また、本発明の技術的範囲は上述した実施形態に限定されず、特許請求の範囲に記載された事項とその均等物まで及ぶものである。
【符号の説明】
【００５３】
Ｂ  揺動ボード
１０  ボード本体
１１  仮想重心部
１１ａライン
１２  平坦部
１３  平坦部周縁
１４  ボード本体の周縁
１５  傾斜底面
１６  底面
１７  十文字交差部
１８  十文字歩行ガイド帯
１８ａ長辺ガイド
１８ｂ短辺ガイド
１９  フィン設置部
２０  補助揺動板
２１  上面平坦面
２２  底面中心部
２３  小面積の平坦面
２４  底面
２５  中心平坦面
２６  底面周辺
２７  傾斜面
３０  チューブ
３１  固定孔
３２  固定棒
【図１】
2020192826.tif 000003
【図２】
2020192826.tif 000004
【図３】
2020192826.tif 000005
【図４】
2020192826.tif 000006
【図５】
2020192826.tif 000007
【図６】
2020192826.tif 000008
【図７】
2020192826.tif 000009
【図８】
2020192826.tif 000010
【図９】
2020192826.tif 000011
【図１０】
2020192826.tif 000012
【図１１】
2020192826.tif 000013
【図１２】
2020192826.tif 000014